(57)【特許請求の範囲】
【請求項１】
シリンダと、前記シリンダの前端面に設けられた吐出口と、前記吐出口を開閉できる吐出口開閉用バルブ手段と、前記シリンダに収容されたピストンと、前記ピストンに取り付けられ前記シリンダの後端部から突出するロッドと、前記ロッドに嵌められ前記ピストンと前記シリンダの後端部内面との間に備えられたコイルバネと、前記シリンダの前端部に設けられた防虫剤供給口と、前記防虫剤供給口を開閉できる供給口開閉用バルブ手段と、前記吐出口にチューブを介して連通し木造建築物の躯体に取り付けられて前記躯体との間に閉鎖空間を形成する取付けケースとを具備する防虫剤注入装置であって、
前記吐出口開閉用バルブ手段を前記吐出口が閉じた状態にした後で、前記供給口開閉用バルブ手段を前記防虫剤供給口が開いた状態にして前記ロッドを引いて前記ピストンを後退させて、前記防虫剤供給口から前記シリンダ内に液状の防虫剤を引き込むと共に前記ピストンを前進方向に付勢した後、前記供給口開閉用バルブ手段を操作して前記防虫剤供給口を閉じ、その後に前記吐出口開閉用バルブ手段を前記吐出口が開いた状態にして、
前記コイルバネの伸びによって前記ピストンが進行して前記シリンダから前記チューブを介して前記閉鎖空間に防虫剤を送り、且つ前記防虫剤を加圧状態に保つことを特徴とする防虫剤注入装置。
【請求項２】
請求項１に記載した防虫剤注入装置において、コイルバネのピストンに対する付勢力が加わっても前記コイルバネが伸びて前記ピストンが進行しないようにロックするピストンロック手段を備えたことを特徴とする防虫剤注入装置。
【請求項３】
請求項２に記載した防虫剤注入装置において、ピストンロック手段はロッドに形成された雄ネジと、前記雄ネジに螺合して前進するように回すとシリンダの後端面に当接するナットによって構成されていることを特徴とする防虫剤注入装置。
【請求項４】
請求項１から３のいずれかに記載した防虫剤注入装置において、取付けケースには開閉可能なエア抜き孔が設けられていることを特徴とする防虫剤注入装置。
【請求項５】
請求項１から４のいずれかに記載した防虫剤注入装置において、チューブは途中から複数に分けられて、前記複数のチューブに取付けケースがそれぞれ取り付けられていることを特徴とする防虫剤注入装置。
【発明の詳細な説明】
【技術分野】
【０００１】
本発明は防虫剤注入装置に係り、特に白アリ等の防除をするための防虫剤注入装置に関するものである。
【背景技術】
【０００２】
白アリの被害から木造建築物を護るためには定期的に防虫剤を躯体に注入することが必要である。この防虫剤の注入作業は作業員が縁の下などに入り込んで行う必要があり、かなりの負担が伴う。
そこで、特許文献１に示すような防虫剤注入装置を用いることが提案されている。この防虫剤注入装置はポンプもしくは重力によって防虫剤を木造建築物の躯体に注入しようとするものである。
【先行技術文献】
【特許文献】
【０００３】
【特許文献１】特開２００７−１７７５９４号公報
【発明の概要】
【発明が解決しようとする課題】
【０００４】
しかしながら、上記従来の防虫剤注入装置においてポンプを用いて防虫剤の注入を行う場合は、そのポンプを駆動するための電力が必要であり、電気配線を縁の下などまで引き回さなければならないという問題がある。電気配線を設けると、装置の設置作業に手間、コストがかかるばかりか、装置のメンテナンスも大変になる。
また、重力によって防虫剤を注入する場合はその注入圧力が小さく、防虫剤を躯体に対し充分に含浸させることができないという問題がある。
本発明は上記従来の問題点に着目して為されたものであり、ポンプを備えず、電気配線の引き回しが不要で、装置の設置作業が楽でコストがかからず、装置のメンテナンスが簡単で、しかも十分な防虫剤の注入圧力を得ることが可能な防虫剤注入装置の提供を、その目的とする。
【課題を解決するための手段】
【０００５】
本発明は上記課題を解決するためになされたものであり、請求項１の発明は、シリンダと、前記シリンダの前端面に設けられた吐出口と、前記吐出口を開閉できる吐出口開閉用バルブ手段と、前記シリンダに収容されたピストンと、前記ピストンに取り付けられ前記シリンダの後端部から突出するロッドと、前記ロッドに嵌められ前記ピストンと前記シリンダの後端部内面との間に備えられたコイルバネと、前記シリンダの前端部に設けられた防虫剤供給口と、前記防虫剤供給口を開閉できる供給口開閉用バルブ手段と、前記吐出口にチューブを介して連通し木造建築物の躯体に取り付けられて前記躯体との間に閉鎖空間を形成する取付けケースとを具備する防虫剤注入装置であって、前記吐出口開閉用バルブ手段を前記吐出口が閉じた状態にした後で、前記供給口開閉用バルブ手段を前記防虫剤供給口が開いた状態にして前記ロッドを引いて前記ピストンを後退させて、前記防虫剤供給口から前記シリンダ内に液状の防虫剤を引き込むと共に前記ピストンを前進方向に付勢した後、前記供給口開閉用バルブ手段を操作して前記防虫剤供給口を閉じ、その後に前記吐出口開閉用バルブ手段を前記吐出口が開いた状態にして、前記コイルバネの伸びによって前記ピストンが進行して前記シリンダから前記チューブを介して前記閉鎖空間に防虫剤を送り、且つ前記防虫剤を加圧状態に保つことを特徴とする防虫剤注入装置である。
【０００６】
請求項２の発明は、請求項１に記載した防虫剤注入装置において、コイルバネのピストンに対する付勢力が加わっても前記コイルバネが伸びて前記ピストンが進行しないようにロックするピストンロック手段を備えたことを特徴とする防虫剤注入装置である。
【０００７】
請求項３の発明は、請求項２に記載した防虫剤注入装置において、ピストンロック手段はロッドに形成された雄ネジと、前記雄ネジに螺合して前進するように回すとシリンダの後端面に当接するナットによって構成されていることを特徴とする防虫剤注入装置である。
【０００８】
請求項４の発明は、請求項１から３のいずれかに記載した防虫剤注入装置において、取付けケースには開閉可能なエア抜き孔が設けられていることを特徴とする防虫剤注入装置である。
【０００９】
請求項５の発明は、請求項１から４のいずれかに記載した防虫剤注入装置において、チューブは途中から複数に分けられて、前記複数のチューブに取付けケースがそれぞれ取り付けられていることを特徴とする防虫剤注入装置である。
【発明の効果】
【００１０】
本発明の防虫剤注入装置によれば、ポンプを備えていないので、電気配線の引き回しが不要で、装置の設置作業が楽でコストを低く抑えることが可能となるばかりか、装置のメンテナンスも簡単に行うことができる。しかも十分な防虫剤の注入圧力を得ることができ、木造建築物の躯体に防虫剤を十分に含浸させることができる。
【図面の簡単な説明】
【００１１】
【図１】本発明の第１の実施の形態に係る防虫剤注入装置の斜視図である。
【図２】図１の防虫剤注入装置の分解斜視図である。
【図３】図１の防虫剤注入装置の動作を説明するための図である。
【図４】図１の防虫剤注入装置の取付けケース内のエアを抜く作業を説明するための図である。
【図５】図１の防虫剤注入装置の取付けケース内のエアを抜いてからエア抜き孔を閉鎖した状態を説明するための図である。
【図６】図１の防虫剤注入装置の動作を説明するための図である。
【図７】本発明の第２の実施の形態に係る防虫剤注入装置の構成を示す図である。
【図８】本発明の第３の実施の形態に係る防虫剤注入装置の構成を示す図である。
【発明を実施するための形態】
【００１２】
本発明の第１の実施の形態に係る防虫剤注入装置１を図面にしたがって説明する。
符号３はシリンダを示し、このシリンダ３の前端面には防虫剤の吐出口５が設けられている。符号６は吐出口５を開閉できるバルブ手段としての開閉バルブを示し、開閉バルブ６はレバー８を操作することで開閉することができる。
また、シリンダ３にはピストン４が収容されており、このピストン４にはロッド７が連結されている。ロッド７の外周面には雄ネジ９が形成されており、この雄ネジ９にはナット１１が螺合されている。
雄ネジ９とナット１１とによってピストンロック手段が構成されている。
【００１３】
符号１３はコイルバネを示し、このコイルバネ１３はロッド７に嵌められ、ピストン４とシリンダ３の後端部内面との間に備えられている。
また、シリンダ３の前端部の周面にはバルブ手段としての開閉バルブ１５が取り付けられている。開閉バルブ１５はレバー１６を操作することで開閉することができる。開閉バルブ１５には接続管１７を介してチューブ１９の一端が接続されている。このチューブ１９の他端は白アリ用の液状の防虫剤Ｌが収容されたタンク２１に接続されている。
【００１４】
符号２３はチューブを示し、このチューブ２３の一端は防虫剤吐出口５に接続され、その他端は分配器２５に接続されている。分配器２５にはチューブ２７、２９が接続され、図３、６に示すようにチューブ２７は他の分配器２５に接続されている。また、４本のチューブ２９の他端は接続管３１を介して取付けケース３３に接続されている。すなわち、チューブ２３は途中から複数のチューブ２９に分けられて、複数のチューブ２９に取付けケース３３がそれぞれ取り付けられている。
【００１５】
取付けケース３３の構成を説明する。
符号３５はケース本体を示し、このケース本体３５には前面が開口する空間部３７が形成されている。また、ケース本体３５には取付け用ネジ３９が挿通される４つの挿通穴が形成されている。更に、ケース本体３５の凸部４１には１つのエア抜き孔４３が形成されており、このエア抜き孔４３はネジ穴になっている。エア抜き孔４３には頭部４５ａを有する雄ネジ４５が螺合される。
また、ケース本体３５には差し込み管４７が取り付けられ、この差し込み管４７はチューブ２９が連結された接続管３１に連通している。差し込み管４７の先端部は斜めに切断された形状となっている。
防虫剤注入装置１は以上のように構成されている。
【００１６】
次に、防虫剤注入装置１の使用方法を説明する。
取付けケース３３を木造建築物の躯体の一部である柱Ｈに取り付ける作業について説明する。
まず、柱Ｈに小孔Ｈａを開け、この小孔Ｈａに差し込み管４７を差し込むようにして取付けケース３３を柱Ｈにセットする。なお、取付けケース３３の柱Ｈに接触する部分には接着剤を塗布しておく。接着剤は取付けケース３３を柱Ｈに対し強固に固定するだけでなく、柱Ｈ表面の細かな凹凸に対応して変形することで言わばパッキンの役目を果たし、液体の防虫剤Ｌが漏れるのを防止する。
そして、取付け用ネジ３９を柱Ｈにねじ込むことで取付けケース３３を柱Ｈに固定する。取付けケース３３を柱Ｈに取り付けると、空間部３７と、この空間部３７に対向する柱Ｈの面部、小孔Ｈａによって閉鎖空間４０が形成される。
上記と同様にして複数の柱Ｈに取付けケース３３を取り付ける（図３、図６参照）。
【００１７】
開閉バルブ１５のレバー１６を操作して図６において一点鎖線で示す位置にして開状態として防虫剤供給口１８を開いて、防虫剤供給口１８が開閉バルブ１５、接続管１７及びチューブ１９を介してタンク２１とつながる状態にする。
次いで、図３に示すようにロッド７を引き、コイルバネ１３を圧縮するようにしてピストン４を後退させる。これにより、タンク２１内の防虫剤Ｌがチューブ１９、接続管１７、開閉バルブ１５及び防虫剤供給口１８を通ってシリンダ３へ供給される。この状態ではコイルバネ１３はピストン４を前進方向へ付勢している。
そして、ロッド７の雄ネジ９に螺合しているナット１１を前進するように回して、シリンダ３の後端面に当接させる。これにより、ピストン４はコイルバネ１３の付勢力に抗して停止するようにロックされる。
【００１８】
開閉バルブ１５のレバー１６を操作して図６において実線で示す位置として開閉バルブ１５を閉じる。
次いで、ロッド７の雄ネジ９に螺合しているナット１１を後退するように回して、シリンダ３の後端面から離間させれば、コイルバネ１３の付勢力によってピストン４が前進して、シリンダ３内の防虫剤Ｌが加圧される。そして、防虫剤Ｌは防虫剤吐出口５、チューブ２３を介して分配器２５へ送られ、更に、チューブ２９、接続管３１及び差し込み管４７を介して閉鎖空間４０へ流入する。
【００１９】
図４に示すように雄ネジ４５を緩めることで、エア抜き孔４３が開放され閉鎖空間４０内のエアを抜くことができる。閉鎖空間４０内のエアを完全に抜いてから雄ネジ４５をエア抜き孔４３に螺合して頭部４５ａによってエア抜き孔４３を閉鎖する。
【００２０】
コイルバネ１３によって進行方向へ付勢されたピストン４により防虫剤Ｌは加圧状態となっているので、閉鎖空間４０内の防虫剤Ｌも加圧されて柱Ｈへの含浸が促される。そして、防虫剤Ｌが柱Ｈに含浸すると、その含浸した量の防虫剤Ｌがシリンダ３から閉鎖空間４０へ供給される。すなわち、防虫剤Ｌは常時加圧された状態を保つことになる。従って、柱Ｈに防虫剤Ｌを長期に渡って十分に含浸させることができる。
【００２１】
防虫剤Ｌが柱Ｈに含浸することでシリンダ３内の防虫剤Ｌが押し出され、これに伴いピストン４が進行してコイルバネ１３が徐々に伸びる。そして、図６に示すようにシリンダ３内の防虫剤Ｌが無くなり、コイルバネ１３が伸びきったところで、レバー８を操作して開閉バルブ６を閉状態として吐出口５を閉じる。そして、タンク２１へ防虫剤Ｌを新たに入れる。次いで、既述したようにロッド７を引いて、ピストン４を後退させてシリンダ３へ防虫剤Ｌを引き込む。シリンダ３へ防虫剤Ｌを引き込んだ後、レバー１６を操作して開閉バルブ１５を閉状態とする。次いで、レバー８を操作して開閉バルブ６を開状態とし、吐出口５を開く。すなわち、防虫剤注入装置１をリセットして、柱Ｈへの防虫剤Ｌの含浸を新たに開始する。
上記のように開閉バルブ６を閉状態として吐出口５を閉じてから、ピストン４を後退させるので、チューブ２３、２７、２９、分配器２５、接続管３１及び閉鎖空間４０内の液状の防虫剤Ｌが吸い出されるのを防ぐことができ、エアが入るのを防止することができる。従って、上記したように雄ネジ４５を緩めて、エア抜き孔４３からエアを抜く作業を改めて行う必要はない。
このように、防虫剤注入装置１はリセットのための作業も極めて簡単であり、作業者の負担を軽減することができる。
【００２２】
また、防虫剤注入装置１は電力等によって駆動するポンプを用いないので、電気配線の引き回しが不要である。電力が必要でないので、防虫剤注入装置１は設置作業が楽でコストを低く抑えることが可能であり、更にメンテナンスも簡単に行うことができる。
【００２３】
図７に第２の実施の形態に係る防虫剤注入装置５１を示す。
防虫剤注入装置５１は第１の実施の形態に係る防虫剤注入装置１と同様の構成部材を有するので、防虫剤注入装置１と同様の構成部材については第１の実施の形態で用いた符号を付して、その説明を省略する。後述する第３の実施の形態についても同様とする。
この防虫剤注入装置５１ではチューブ２９どうしを取付けケース３３に取り付けたＴ型分岐管５３を介して連結している。従って、防虫剤Ｌはチューブ２９からＴ型分岐管５３を介して閉鎖空間４０へ供給され、更にＴ型分岐管５３、隣の取付けケース３３に取り付けられたチューブ２９を介して隣の取付けケース３３の閉鎖空間４０へ供給される。すなわち、防虫剤注入装置５１は複数の取付けケース３３をＴ型分岐管５３、チューブ２９を介して直列につなぐ構成となっている。
【００２４】
図８に第３の実施の形態に係る防虫剤注入装置６１を示す。
符号Ｋはコンクリート基礎を示し、このコンクリート基礎Ｋ上には土台Ｄが固定されている。土台Ｄには複数の柱Ｈが立設されている。
土台Ｄには所定の間隔をあけて取付けケース３３ｄが取付けられており、また柱Ｈにも取付けケース３３ｈが取り付けられている。取付けケース３３ｄ、取付けケース３３ｈは取付けケース３３と同様の構成を有しているが、説明の便宜上柱Ｈに取り付けられた取付けケースに符号３３ｈを付し、土台Ｄに取り付けられた取付けケースに符号３３ｄを付す。
【００２５】
この防虫剤注入装置６１では、分配器２５の代わりにＴ型分岐管５３ａを用いており、チューブ２３を２本のチューブ２７に分けている。そして、チューブ２７は取付けケース３３ｄに取り付けられたＴ型分岐管５３ｂにそれぞれ接続されている。更に、Ｔ型分岐管５３ｂにはチューブ２９の一端が接続され、このチューブ２９の他端はＴ型分岐管５３ｃに接続されている。Ｔ型分岐管５３ｃに接続された他の２本のチューブ２９のうちの１本は取付けケース３３に接続され、もう１本のチューブ２９は隣の取付けケース３３ｄに取り付けられたＴ型分岐管５３ｂに接続されている。
防虫剤注入装置６１は、土台Ｄと柱Ｈの両方に防虫剤Ｌを注入することができる。
【００２６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では柱、土台に防虫剤を注入する場合を示したが、本発明はこれに限定されず梁等、他の躯体を構成する部材に防虫剤を注入する場合に本発明の防虫剤注入装置を適用してもよい。
また、防虫剤吐出口に経路切り替え装置をつなげ、この経路切り替え装置に複数の分配器（またはＴ型分岐管）を連結して、防虫剤を注入する経路を切り替え可能とする構成としてもよい。このような構成とすることで、防虫剤注入装置のコストを抑えることが可能となる。
上記実施の形態では白アリ用の防虫剤を注入する場合を示したが、白アリ以外の害虫用の防虫剤を注入するのに本発明の防虫剤注入装置を適用してもよいのは勿論である。
【産業上の利用可能性】
【００２７】
本発明の防虫剤注入装置は機械製造業、白アリ等の害虫駆除業に利用可能性を有する。
【符号の説明】
【００２８】
１…防虫剤注入装置                ３…シリンダ
４…ピストン                      ５…防虫剤吐出口
６…開閉バルブ                    ７…ロッド
８…レバー                        ９…雄ネジ
１１…ナット                      １３…コイルバネ
１５…開閉バルブ                  １６…レバー
１７…接続管                      １８…防虫剤供給口
１９…チューブ                    ２１…タンク
２３…チューブ                    ２５…分配器
２７…チューブ                    ２９…チューブ
３１…接続管                      ３３…取付けケース
３３ａ…取付けケース              ３３ｂ…取付けケース
３５…ケース本体                  ３７…空間部
３９…取付け用ネジ                ４０…閉鎖空間
４１…凸部                        ４３…エア抜き孔
４５…雄ネジ                      ４５ａ…雄ネジの頭部
４７…差し込み管                  ５１…防虫剤注入装置
５３…Ｔ型分岐管                  ５３ａ…Ｔ型分岐管
５３ｄ…Ｔ型分岐管                ５３ｃ…Ｔ型分岐管
６１…防虫剤注入装置
Ｌ…液状の防虫剤                  Ｈ…柱
Ｈａ…小孔                        Ｋ…基礎
Ｄ…土台
【図１】
0006418912.tif 000002
【図２】
0006418912.tif 000003
【図３】
0006418912.tif 000004
【図４】
0006418912.tif 000005
【図５】
0006418912.tif 000006
【図６】
0006418912.tif 000007
【図７】
0006418912.tif 000008
【図８】
0006418912.tif 000009